(57)【要約】【課題】管径が細い血管等の分岐部でも十分に選択性を確保することができるガイドワイヤを提供する。【解決手段】ガイドワイヤ１Ａのコアシャフト２Ａには、最先端部４の基端位置において該最先端部４の中心軸線Ｌに対し所定曲率で湾曲形成された湾曲部２１が形成されている。また、コイル体３Ａには、前記最先端部４の基端位置において該最先端部４の中心軸線Ｌに対し所定角度で屈曲形成された屈曲部３１が形成されている。【選択図】図１
2013132372.tif 000002
【特許請求の範囲】
【請求項１】
コアシャフトと、
前記コアシャフトの少なくとも先端部を覆うコイル体と、
前記コアシャフトの先端部と前記コイル体の先端部とを固着する最先端部と、を備え、
前記コイル体には、前記最先端部の基端位置において前記最先端部の中心軸線に対し湾曲している湾曲部、又は前記中心軸線に対し屈曲している屈曲部が形成されていることを特徴とするガイドワイヤ。
【請求項２】
コアシャフトと、
前記コアシャフトの少なくとも先端部を覆うコイル体と、
前記コアシャフトの先端部と前記コイル体の先端部とを固着する最先端部と、を備え、
前記コアシャフトには、前記最先端部の基端位置において前記最先端部の中心軸線に対し湾曲している湾曲部、又は前記中心軸線に対し屈曲している屈曲部が形成されていることを特徴とするガイドワイヤ。
【請求項３】
コアシャフトと、
前記コアシャフトの少なくとも先端部を覆うコイル体と、
前記コアシャフトの先端部と前記コイル体の先端部とを固着する最先端部と、を備え、
前記コアシャフト及び前記コイル体には、前記最先端部の基端位置において前記最先端部の中心軸線に対し湾曲している湾曲部、又は前記中心軸線に対し屈曲している屈曲部が形成されていることを特徴とするガイドワイヤ。
【請求項４】
請求項１又は請求項３に記載のガイドワイヤにおいて、
前記コイル体には、前記最先端部の基端位置において前記屈曲部が形成されているガイドワイヤ。
【請求項５】
請求項２又は請求項３に記載のガイドワイヤにおいて、
前記コアシャフトには、前記最先端部の基端位置において前記屈曲部が形成されているガイドワイヤ。
【請求項６】
請求項１乃至請求項５のいずれか１項に記載のガイドワイヤにおいて、
前記最先端部は、金を主成分とする金属ハンダで形成されており、前記最先端部内に位置する前記コイル体のコイルの素線表面は前記最先端部表面に露出していないガイドワイヤ。
【発明の詳細な説明】
【技術分野】
【０００１】
本発明は、医療用分野で好適に用いられるガイドワイヤに関するものである。
【背景技術】
【０００２】
従来、医療現場において血管、尿管、又は器官等へのカテーテルの挿入や、血管の動脈瘤形成部への体内留置具の挿入の際にガイドとして用いられる医療用のガイドワイヤは、既によく知られている。
【０００３】
また、先端部が屈曲したガイドワイヤも既に提案されている(例えば、特許文献１参照。）。また、先端部が湾曲形状かつ平板状に形成されているガイドワイヤも既に提案されている(例えば、特許文献２参照。）。このような構成は、血管等の分岐部にガイドワイヤを侵入させた際に、該ガイドワイヤの先端を該分岐部の枝管に挿入し易いため、該分岐部での選択性に優れていることもよく知られている。
【先行技術文献】
【特許文献】
【０００４】
【特許文献１】特開２０１０−２６８８８８号公報
【特許文献２】特開平４−１０８４５６号公報
【発明の概要】
【発明が解決しようとする課題】
【０００５】
しかしながら、特許文献１，２に開示されたガイドワイヤは、最先端部の基端位置から離れた位置に湾曲部分（又は屈曲部分）が形成されている。したがって、ガイドワイヤ自身を回転させながら脈管内を押し進めたときに、この湾曲部分（又は屈曲部分）の全長が長いために先端の回転半径が大きくなり、ある程度の太さの血管等における分岐部での選択性は確保できるものの、より一層管径が細い血管等に適用した場合には該ガイドワイヤの先端が枝管に侵入しづらく、十分な選択性が得られないという問題があった。
【０００６】
そこで本発明は、上記問題点に鑑み、より管径が細い血管等の分岐部でも十分に選択性を確保することができるガイドワイヤを提供することを目的とする。
【課題を解決するための手段】
【０００７】
本発明は、コアシャフトと、前記コアシャフトの少なくとも先端部を覆うコイル体と、前記コアシャフトの先端部と前記コイル体の先端部とを固着する最先端部と、を備え、前記コイル体には、前記最先端部の基端位置において前記最先端部の中心軸線に対し湾曲している湾曲部、又は前記中心軸線に対し屈曲している屈曲部が形成されていることを特徴とするガイドワイヤである。
【０００８】
かかる構成は、前記コイル体が最先端部の基端位置で湾曲又は屈曲しているため、血管等の分岐部において前記ガイドワイヤの先端の操作性が向上し、該分岐部での選択性が向上する。特に、該最先端部の基端位置で該コイル体が湾曲又は屈曲していることで、該コイル体の湾曲又は屈曲した部位よりも先端方向が小型化するため、より一層細い血管等の分岐部において選択性を確保できる。
【０００９】
また、本発明は、コアシャフトと、前記コアシャフトの少なくとも先端部を覆うコイル体と、前記コアシャフトの先端部と前記コイル体の先端部とを固着する最先端部と、を備え、前記コアシャフトには、前記最先端部の基端位置において前記最先端部の中心軸線に対し湾曲している湾曲部、又は前記中心軸線に対し屈曲している屈曲部が形成されていることを特徴とするガイドワイヤである。
【００１０】
かかる構成は、前記コアシャフトが最先端部の基端位置で湾曲又は屈曲しているため、血管等の分岐部においてガイドワイヤの先端の操作性が向上し、該分岐部での選択性が向上する。特に、該最先端部の基端位置で該コアシャフトが湾曲又は屈曲していることで、該コアシャフトの湾曲又は屈曲した部位よりも先端方向が小型化するため、より一層細い血管等の分岐部において選択性を確保できる。
【００１１】
さらに、本発明は、コアシャフトと、前記コアシャフトの少なくとも先端部を覆うコイル体と、前記コアシャフトの先端部と前記コイル体の先端部とを固着する最先端部と、を備え、前記コアシャフト及び前記コイル体には、前記最先端部の基端位置において前記最先端部の中心軸線に対し湾曲している湾曲部、又は前記中心軸線に対し屈曲している屈曲部が形成されていることを特徴とするガイドワイヤである。
【００１２】
かかる構成にあって、前記コアシャフト及び前記コイル体が共に、最先端部の基端位置で湾曲又は屈曲しているため、血管等の分岐部において前記ガイドワイヤの先端の操作性が大幅に向上し、該分岐部での選択性がより一層向上する。特に、該最先端部の基端位置で該コアシャフト及び該コイル体が湾曲又は屈曲していることで、該ガイドワイヤ全体として湾曲又は屈曲した部位よりも先端方向が小型化するため、より一層細い血管等の分岐部において選択性を確保できる。
【００１３】
上記ガイドワイヤにおいて、前記コイル体には、前記最先端部の基端位置において前記屈曲部が形成されていることが好ましい。
【００１４】
かかる構成は、前記コイル体が前記最先端部の基端位置で徐々に曲がっている湾曲部を有する構成に比べて、より一層急峻に先端部が曲がった形状となる。このため、前記屈曲部の先端方向が小型化し、より一層細い血管等の側枝への選択性が確保できる。
【００１５】
また、上記ガイドワイヤにおいて、前記コアシャフトには、前記最先端部の基端位置において前記屈曲部が形成されていることが好ましい。
【００１６】
かかる構成は、前記コアシャフトが前記最先端部の基端位置で徐々に曲がっている湾曲部を有する構成に比べて、より一層急峻に先端部が曲がった形状となる。このため、前記屈曲部の先端方向が小型化し、より一層細い血管等の側枝への選択性が確保できる。
【００１７】
さらに、上記ガイドワイヤにおいて、前記最先端部は、金を主成分とする金属ハンダで形成されており、前記最先端部内に位置する前記コイル体のコイルの素線表面は前記最先端部表面に露出していない構成としてもよい。
【００１８】
このように前記最先端部が金を主成分とする金属ハンダで構成されていると、コアシャフトとコイル体との固着強度が増すため、十分な固着強度を確保しながら全体として該最先端部の寸法を小さくすることができる。このため、湾曲部又は屈曲部の先端方向を小型化でき、より一層細い血管等の側枝への選択性を向上させることができる。また、該最先端部の表面にコイル体のコイル素線が露出していないため、該最先端部の表面が、凹凸の形成されない平滑面となる。したがって、該最先端部において血管等の側枝に形成された狭窄部等に対する引っ掛かり等を大幅に抑制することができる。
【発明の効果】
【００１９】
本発明のガイドワイヤは、管径の細い血管等の分岐部での選択性を向上させることができる効果がある。
【図面の簡単な説明】
【００２０】
【図１】実施例１にかかるガイドワイヤを示す説明図
【図２】実施例２にかかるガイドワイヤを示す説明図
【図３】実施例３にかかるガイドワイヤを示す説明図
【図４】実施例４にかかるガイドワイヤを示す説明図
【図５】変形例にかかるガイドワイヤを示す説明図
【発明を実施するための形態】
【００２１】
本発明にかかるガイドワイヤの実施例１〜４等を添付図面に従って説明する。
【００２２】
（実施例１）
図１に示すように、医療用として用いられるガイドワイヤ１Ａは、先端側が細径で基端側が太径とされた先細り丸棒形状の金属材料からなるコアシャフト２Ａを備えている。
【００２３】
また、前記コアシャフト２Ａの先端部には、該コアシャフト２Ａを覆うように、金属材料からなるコイル素線３０によって構成されたコイル体３Ａが配置されている。そして、該コアシャフト２Ａの先端と、該コイル体３Ａの先端とが固着されて略半球体の最先端部４が形成されている。なお、該最先端部４は、適宜、様々な公知材料を用いて形成することができるが、金を主成分とする金属ハンダで形成する構成が特に望ましい。このような金属ハンダを構成する合金材料としては、例えば金が８０〜８５質量％程度含まれる金スズ材料が望ましい。また、前記コイル体３Ａの基端は、固定部（図示省略）を介して前記コアシャフト２Ａに固定されている。
【００２４】
また、前記コアシャフト２Ａの先端部には、湾曲部２１が形成されている。さらに詳述すると、該湾曲部２１は、前記最先端部４の基端位置において該最先端部４の中心軸線Ｌに対し、所定の曲率で湾曲形成されている。具体的には、該湾曲部２１の先端が該最先端部４の基端に位置しており、該最先端部４の内部に位置するコアシャフト２Ａは直線形状となっている。
【００２５】
また、前記コイル体３Ａの先端部には、屈曲部３１が形成されている。該屈曲部３１は、前記最先端部４の基端位置において該最先端部４の中心軸線Ｌに対し、前記コアシャフト２Ａの湾曲方向とほぼ同じ方向に沿って、所定角度で屈曲形成されている。具体的には、該コイル体３Ａの該屈曲部３１を境にして先端方向、及び基端方向は、それぞれ直線形状に形成されており、最先端部４の基端位置であって屈曲方向における内側（図１において上側）では、隣り合うコイル素線３０同士が互いに密着し、一方、屈曲方向において外側（図１において下側）では、該コイル素線３０同士が互いに離間している。ここで、該コイル素線３０同士が離間している部分の間隙Ｇの少なくともいずれかは、該コイル素線３０の外径よりも大きい幅に設定されている。
【００２６】
さらに、前記最先端部４にあって、該最先端部４内に位置する前記コイル体３Ａのコイル素線３０の表面が該最先端部４の表面に露出しないように、該コイル体３Ａのコイル外径と、該最先端部４の外径とが各々定められている。
【００２７】
上記構成のガイドワイヤ１Ａは、前記コアシャフト２Ａが前記最先端部４の基端位置で湾曲し、前記コイル体３Ａが該最先端部４の基端位置で屈曲しており、該ガイドワイヤの１Ａの先端部が急峻に曲がっているため、血管等の分岐部において操作性を向上させ、該分岐部での選択性を向上させることができる。
【００２８】
また、最先端部４の基端位置であって屈曲方向における外側（図１において下側）では、コイル体３Ａのコイル素線３０同士が互いに離間し、最先端部４の基端位置に配された前記間隙Ｇは該コイル素線３０の外径よりも大きい幅に設定されているため、該コイル体３Ａの屈曲部３１の形状をより一層急峻な屈曲形状とすることができ、血管等の側枝への選択性をさらに向上させることができる。
【００２９】
また、前記最先端部４が金を主成分とする金属ハンダで構成されているため、コアシャフト２Ａとコイル体３Ａとの固着強度が増しており、十分な固着強度を確保しながら全体として該最先端部４の寸法を小さくすることができる。このため、より細い血管等の側枝への選択性が大幅に向上する。
【００３０】
さらに、前記最先端部４の表面には前記コイル体３Ａのコイル素線３０が露出していないため、該最先端部４の表面に凹凸が形成されず、平滑となっており、血管等の側枝を選択する際に狭窄部での引っ掛かりが抑制されて、円滑な操作が可能となっている。
【００３１】
（実施例２）
以下、実施例２にかかるガイドワイヤ１Ｂを図２に従って説明するが、実施例１と共通する部分については説明を省略し、図中では同じ符号を付すこととする。
【００３２】
図２に示すように、ガイドワイヤ１Ｂにおけるコアシャフト２Ｂの先端部には、最先端部４の基端位置において該最先端部４の中心軸線Ｌに対して所定の角度で屈曲する屈曲部２２が形成されている。具体的には、該ガイドワイヤ１Ｂにあって、該屈曲部２２を境にして先端方向、及び基端方向が、それぞれ直線形状に形成されている。
【００３３】
また、コイル体３Ａの先端部にも、前記最先端部４の基端位置において該最先端部４の中心軸線Ｌに対し、前記コアシャフト２Ｂの屈曲部２２と同じ方向に所定角度で屈曲する屈曲部３１が形成されている。
【００３４】
このように、前記最先端部４の基端位置において、コアシャフト２Ｂも、コイル体３Ａも屈曲している構成であってもよい。
【００３５】
かかる構成とすることにより、前記屈曲部２２、及び屈曲部３１よりも先端方向をより一層小型化できるため、血管等の分岐部においてガイドワイヤ１Ｂの先端の操作性を向上させて、該分岐部での選択性をより一層向上させることができる。
【００３６】
（実施例３）
以下、実施例３にかかるガイドワイヤ１Ｃを図３に従って説明するが、実施例１，２と共通する部分については説明を省略し、図中では同じ符号を付すこととする。
【００３７】
図３に示すように、ガイドワイヤ１Ｃにおけるコアシャフト２Ｂの先端部には、最先端部４の基端位置において該最先端部４の中心軸線Ｌに対して所定角度で屈曲する屈曲部２２が形成されている。
【００３８】
また、コイル体３Ｂの先端部には、前記最先端部４の基端位置において該最先端部４の中心軸線Ｌに対して所定の曲率で湾曲する湾曲部３２が形成されている。
【００３９】
このように、前記最先端部４の基端位置において、コアシャフト２Ａは屈曲し、コイル体３Ｂは湾曲している構成としてもよい。
【００４０】
かかる構成としても、前記屈曲部２２、及び湾曲部３２よりも先端方向を小型化できるため、血管等の分岐部においてガイドワイヤ１Ｃの先端の操作性を向上させて、該分岐部での選択性を向上させることができる。
【００４１】
（実施例４）
以下、実施例４にかかるガイドワイヤ１Ｄを図４に従って説明するが、実施例１〜３と共通する部分については説明を省略し、図中では同じ符号を付すこととする。
【００４２】
図４に示すように、ガイドワイヤ１Ｄにおけるコアシャフト２Ａの先端部には、最先端部４の基端位置において該最先端部４の中心軸線Ｌに対して所定の曲率で湾曲する湾曲部２１が形成されている。
【００４３】
また、コイル体３Ｂの先端部には、前記最先端部４の基端位置において該最先端部４の中心軸線Ｌに対して所定の曲率で湾曲する湾曲部３２が形成されている。
【００４４】
このように、前記最先端部４の基端位置において、コアシャフト２Ａとコイル体３Ｂとが共に湾曲している構成としてもよい。
【００４５】
かかる構成としても、前記湾曲部２１，３２よりも先端方向を小型化できるため、血管等の分岐部においてガイドワイヤ１Ｄの先端の操作性を向上させて、該分岐部での選択性を向上させることができる。
【００４６】
本発明は、上述した実施例１〜４に限定されることはなく、本発明の主旨を逸脱しない範囲で設計変更を行ったり、適宜組み合わせたりすることが可能である。
【００４７】
例えば、図５に示すガイドワイヤ１Ｅのように、コイル体３Ａの先端部に屈曲部３１が形成され、コアシャフト２Ｃにおいて最先端部４の基端から基端方向に離間した部位に、湾曲部２３が形成される構成であってもよい。勿論、かかる構成において、コアシャフト２Ｃの最先端部４の基端から基端方向に離間した部位には、湾曲部２３に代えて屈曲部が形成されていてもよい。さらに、該ガイドワイヤ１Ｅに代えて、コアシャフト２Ｂの先端部に屈曲部２２が形成され、コイル体における最先端部４の基端から基端方向に離間した部位に、湾曲部又は屈曲部が形成されたガイドワイヤであってもよい。
【００４８】
すなわち、本発明のガイドワイヤは、コアシャフト２Ａ，２Ｂ及びコイル体３Ａ，３Ｂのうち少なくともいずれか一方に屈曲部２２，３１又は湾曲部２１，３２が該最先端部４の基端位置に形成されていればよい。
【００４９】
また、これまでに述べた屈曲部２２，３１あるいは湾曲部２１，３２は、３次元的に屈曲又は湾曲した形状であってもよい。
【００５０】
また、これまでに述べた構成はコイル体３Ａ，３Ｂのコイル素線３０の表面は最先端部４の表面に露出していないが、該コイル素線３０の表面が該最先端部４の表面に露出した構成も本発明に含まれる。
【００５１】
また、実施例１において、コイル体３Ａにおける最先端部４の基端位置であって屈曲方向における外側（図１において下側）に、該コイル体３Ａのコイル素線３０同士が互いに離間して形成され、該コイル素線３０の外径よりも大きい幅に設定された間隙Ｇを有する構成が示されているが、該間隙Ｇの幅が該コイル素線３０の外径以下に設定されているものも本発明に含まれる。
【符号の説明】
【００５２】
１Ａ〜１Ｅ        ガイドワイヤ
２Ａ〜２Ｃ        コアシャフト
３Ａ，３Ｂ        コイル体
４                最先端部
２１              コアシャフトの湾曲部
２２              コアシャフトの屈曲部
３１              コイル体の屈曲部
３２              コイル体の湾曲部
【図１】
2013132372.tif 000003
【図２】
2013132372.tif 000004
【図３】
2013132372.tif 000005
【図４】
2013132372.tif 000006
【図５】
2013132372.tif 000007